(57)【特許請求の範囲】
【請求項１】
第１のＳＩＭカードスロット、信号処理回路及び無線通信回路を有し、該第１のＳＩＭカードスロットに装着されたＳＩＭカードを用いる携帯電話端末のユーザーインターフェイスに関する部分以外の部分を備えた第１の基本部と、
第２のＳＩＭカードスロット、信号処理回路及び無線通信回路を有し、該第２のＳＩＭカードスロットに装着されたＳＩＭカードを用いる携帯電話端末のユーザーインターフェイスに関する部分以外の部分を備えた第２の基本部と、
制御部と、入力部と、表示部と、マイクロフォンと、スピーカーとを有する携帯電話端末であって、
前記制御部は、電源投入時に、前記第１のＳＩＭカードスロットに装着されたＳＩＭカードが特定の通信事業者と契約中のＳＩＭカードであるか否かを判定し、該第１のＳＩＭカードスロットに装着されたＳＩＭカードが前記特定の通信事業者と契約中のＳＩＭカードであるときにのみ前記第１の基本部を使用可能状態に設定し、その状態において、前記第２のＳＩＭカードスロットに第２のＳＩＭカードが装着されているときには、該第２のＳＩＭ カードが前記特定の通信事業者と契約中のＳＩＭカードであるか否かをチェックすることなく、前記第２の基本部を使用可能状態に設定するものであることを特徴とする携帯電話端末。
【請求項２】
前記制御部は、前記第１の基本部又は前記第２の基本部のいずれかに着信があったときに、前記表示部に前記着信があった方の基本部からの出力を表示するように制御するものであることを特徴とする請求項１記載の携帯電話端末。
【発明の詳細な説明】
【技術分野】
【０００１】
本発明は、ＵＳＩＭ（Universal Subscriber Identity Module）カード又はＳＩＭ（Subscriber Identity Module）カードを用いる携帯電話などの携帯電話端末に関する。
【背景技術】
【０００２】
第３世代携帯電話方式（Ｗ−ＣＤＭＡ方式）では、ＵＳＩＭ（Universal Subscriber Identity Module）カード又はＳＩＭカードと呼ばれるカード（以下、単に、「ＳＩＭカード」とよぶ。）を入れ換えることでさまざまな携帯電話端末を使用することができる。ＳＩＭカード内には、ユーザーの電話番号、契約している携帯電話会社（通信事業者）の情報などが記憶されており、ＳＩＭカードを携帯電話端末に装着することで、その端末をＳＩＭカードに記録されている電話番号で利用することができる。
【０００３】
図９は、従来のＳＩＭカードを用いる携帯電話４０の構成を示すブロック図である。
この図において、４１は携帯電話端末４０の制御を行う基本部であり、マイクロプロセッサ、メモリ、信号処理回路及び無線通信回路などを含むチップセット、ＯＳ、アプリケーションソフト及びアンテナ等を含んでいる。４２はＳＩＭカードを装着するＳＩＭカードスロット、４３は操作ボタンなどの入力部、４４は表示部、４５はマイクロフォン、４６はスピーカー、４７はＳＤメモリカードなどの外部メモリ、４８はバッテリなどの電源部である。
前記基本部４０は、前記ＳＩＭカードスロット４２に装着されたＳＩＭカードに格納されている情報に基づいて、契約されている通信事業者の移動体通信網に接続し、通話、メールなどのサービスを提供する。
【０００４】
このように、従来の携帯電話は、１回線（ＳＩＭカード１枚）に１端末（筐体）というものであったが、回線を複数持つユーザーは、回線の数だけ携帯電話端末を持ち歩かなければならないので、荷物が増え煩わしいものであった。
そこで、２回線の情報を１枚のＳＩＭカードに登録するサービスが誕生している。
また、複数のＳＩＭカードを装着して使用することができる通信端末装置も提案されている（特許文献１）。
なお、携帯電話端末に、特定の通信事業者のＳＩＭカード以外のＳＩＭカードを装着した場合に、携帯電話端末を使用できないようにすること（いわゆる、ＳＩＭロック）はよく知られている（特許文献２、３及び４）。
【特許文献１】特開２００７−６１９２号公報
【特許文献２】特開平６−２１６８４２号公報
【特許文献３】特開平９−１８７０８１号公報
【特許文献４】特表平１１−５０１１８２号公報
【発明の開示】
【発明が解決しようとする課題】
【０００５】
２回線の情報を１枚のＳＩＭカードに登録するサービスでは、同一会社の回線しか登録することができず、また、回線の組み合わせが変更になるたびに、電話会社へ依頼しなければならないので不便であった。
また、前記特許文献１には、ＳＩＭロックについて何ら触れられていない。
【０００６】
そこで、本発明は、特定の通信事業者と契約中のＳＩＭカードが挿入されているという条件を満たした場合にのみ、一つの携帯電話端末で、通信事業者が異なっている場合であっても、異なる回線を切り換えて使用することができる携帯電話端末を提供することを目的としている。
【課題を解決するための手段】
【０００７】
上記課題を解決するために、本発明の携帯電話端末は、第１のＳＩＭカードスロット、信号処理回路及び無線通信回路を有し、該第１のＳＩＭカードスロットに装着されたＳＩＭカードを用いる携帯電話端末のユーザーインターフェイスに関する部分以外の部分を備えた第１の基本部と、第２のＳＩＭカードスロット、信号処理回路及び無線通信回路を有し、該第２のＳＩＭカードスロットに装着されたＳＩＭカードを用いる携帯電話端末のユーザーインターフェイスに関する部分以外の部分を備えた第２の基本部と、制御部と、入力部と、表示部と、マイクロフォンと、スピーカーとを有する携帯電話端末であって、前記制御部は、電源投入時に、前記第１のＳＩＭカードスロットに装着されたＳＩＭカードが特定の通信事業者と契約中のＳＩＭカードであるか否かを判定し、該第１のＳＩＭカードスロットに装着されたＳＩＭカードが前記特定の通信事業者と契約中のＳＩＭカードであるときにのみ前記第１の基本部を使用可能状態に設定し、その状態において、前記第２のＳＩＭカードスロットに第２のＳＩＭカードが装着されているときには、該第２のＳＩＭ カードが前記特定の通信事業者と契約中のＳＩＭカードであるか否かをチェックすることなく、前記第２の基本部を使用可能状態に設定するものとされている。
また、前記制御部は、前記第１の基本部又は前記第２の基本部のいずれかに着信があったときに、前記表示部に前記着信があった方の基本部からの出力を表示するように制御するものとされている。
【発明の効果】
【０００８】
このような本発明の携帯電話端末によれば、複数の回線を持っているユーザーは、複数の携帯電話端末を持ち歩く煩わしさから開放される。
また、回線を物理的（ＳＩＭカード）に管理できるので、回線の組み合わせをユーザーが自由に選ぶことができる。
さらに、実質的に単に２つの携帯電話端末を１つの筐体にまとめただけなので、移動体通信網側の改修は必要ない。
さらにまた、２回線を同時に使用することが困難なので、移動体通信網にやさしいという効果もある。
さらにまた、１つの携帯電話端末に２つの回線が実装できるので、回線あたりの端末コストが減るという効果もある。
さらにまた、ＳＩＭカードに２回線の情報を登録するサービスとは異なり、回線の組み合わせに変更がある度に、電話会社へ変更依頼をする必要がない。
さらにまた、端末を海外ローミングに対応にしておけば、長期海外留学時や長期海外赴任時でも、第２の基本部に現地の通信事業者のプリペイド対応ＳＩＭカードなどを挿して使うことができるので、現地で新たに携帯電話を購入する必要がない。
さらにまた、主基本部のみＳＩＭロックを施し、特定の通信事業者の契約中のＳＩＭカードが装着されているときのみ副基本部の動作を可能としているので、通信事業者の利益を最低限確保することができるとともに、副基本部にはＳＩＭロックを施していないので、ユーザーの利便性を向上することができる。
【発明を実施するための最良の形態】
【０００９】
図１は、本発明の携帯電話端末１０の一実施の形態の構成を示すブロック図である。
図１において、１１は携帯電話端末１０全体の制御を行う制御部、１２は第１のＳＩＭカードスロット１３に装着されたＳＩＭカードを用いて通信を行う第１の基本部（以下、主基本部という。）、１３は第１のＳＩＭカードスロット、１４は該第２のＳＩＭカードスロット１５に装着されたＳＩＭカードを用いて通信を行う第２の基本部（以下、副基本部という。）、１５は第２のＳＩＭカードスロット、１６は各種操作ボタンなどが設けられた入力部、１７は表示部、１８はマイクロフォン、１９はスピーカー、２０はＳＤメモリカードなどの外部メモリ、２１は前記各構成要素に電力を供給する電源部である。
【００１０】
ここで、前記主基本部１２には、チップセット、ＯＳ、アプリケーションプログラム、無線通信回路、信号処理回路、アンテナなどが含まれており、第１のＳＩＭカードスロット１３に装着されたＳＩＭカードを用いる携帯電話端末のユーザーインターフェースに関する部分以外の部分を備えている。また、前記副基本部１４も、同様に、チップセット、ＯＳ、アプリケーションプログラム、無線通信回路、信号処理回路、アンテナなどが含まれており、第２のＳＩＭカードスロットに装着されたＳＩＭカードを用いる携帯電話端末のユーザーインターフェースに関する部分以外の部分を備えている。
前記制御部１１は、前記入力部１６、前記表示部１７、前記マイクロフォン１８、前記スピーカー１９及び前記外部メモリ２０を、前記主基本部１２又は前記副基本部１４に選択的に接続する制御、前記主基本部１２及び前記副基本部１４の動作の制御、前記電源部２１から装置内各部への電源の供給制御などの処理を行う。
すなわち、本発明の携帯電話端末１０は、携帯電話の基本的機能を提供する基本部を２個有しており、該２つの基本部１２及び１４が、前記入力部１６、表示部１７、マイクロフォン１８及びスピーカー１９などを共有するように構成されている。
【００１１】
図２は、このように構成された本発明の携帯電話端末１０の電源が投入されたときの動作を示すフローチャートである。
前記入力部１６の電源ボタンが押下げられると、電源がオンにされ（Ｓ１）、前記主基本部１２の第１のＳＩＭカードスロット１３にＳＩＭカードが装着されているか否かが判定される（Ｓ２）。
第１のＳＩＭカードスロット１３にＳＩＭカードが装着されていないとき（Ｓ２がＮＯ）は、「ＳＩＭカードを挿入して下さい」などのエラーメッセージを表示して（Ｓ１０）、そのまま処理を終了する。すなわち、この場合には、携帯電話端末１０の機能は使用可能状態にされない。
【００１２】
第１のＳＩＭカードスロット１３にＳＩＭカードが装着されているとき（Ｓ２がＹＥＳ）は、装着されているＳＩＭカードが、この携帯電話端末１０で使用することができるＳＩＭカードであるか否かを判定する（Ｓ３）。本発明の携帯電話端末１０においては、第１のＳＩＭカードスロット１３に装着されるＳＩＭカードについては、いわゆるＳＩＭロックがなされており、特定の通信事業者のＳＩＭカード以外のＳＩＭカードは第１のＳＩＭカードスロット１３に装着しても使用することができないようになされている。このＳＩＭロックの方法としては、前述した特許文献２〜４に記載されているような各種の方法を使用することができる。例えば、第１のＳＩＭカードスロット１３に装着されたＳＩＭカード内に記憶されているデータを読み出し、該読み出したデータ又は該読み出したデータに基づいて所定のアルゴリズムにより算出したデータと、携帯電話端末１０の主基本部１２内にあらかじめ記憶されているデータと比較し、両者が不一致であるときには、その主基本部１２を使用不能とする。
【００１３】
前記ステップＳ３の判定の結果、第１のＳＩＭカードスロット１３に装着されたＳＩＭカードがこの携帯電話端末１０で使用することができないものと判定されたとき（Ｓ３がＮＯ）は、前記ステップＳ１０に進み、装着されたＳＩＭカードは使用することができない旨のエラーメッセージを表示して、処理を終了する。
このように、電源オンの操作がなされた場合に、第１のＳＩＭカードスロット１３にＳＩＭカードが装着されていないとき、及び、ＳＩＭカードが装着されていても、そのＳＩＭカードがこの携帯電話端末１０で使用することができないＳＩＭカードであるときには、携帯電話端末１０の機能を使用可能にすることなくそのまま処理が終了される。
【００１４】
一方、前記ステップＳ３の判定の結果、第１のＳＩＭカードスロット１３に装着されたＳＩＭカード（このＳＩＭカードを「第１のＳＩＭカード」と呼ぶ。）が、この携帯電話端末１０で使用することができるものであるときは、携帯電話端末１０を操作可能な状態にする（Ｓ４）。これにより、ユーザーは、前記入力部１６の各操作ボタンを操作して、電話帳の表示やメールの表示などの各種機能を動作させることができるようになる。ただし、この段階では、主基本部１２を用いた通信機能及び副基本部１４を用いた通信機能は、まだ、使用することができない。
【００１５】
そして、前記制御部１１は、前記第１のＳＩＭカード及び前記主基本部１２を用いて、前記第１のＳＩＭカードで契約している通信事業者の移動体通信網に対して位置登録要求を行い、位置登録が成功したか否かを判定する（Ｓ５）。例えば、第１のＳＩＭカードで契約している通信事業者のサービスエリア外で携帯電話端末１０の電源をオンにしたときには、位置登録ができないので、ステップＳ５の判定結果はＮＯとなる。また、前記第１のＳＩＭカードの契約が解除されているときや使用することができないＳＩＭカードであると判定されたときには、移動体通信網側から位置登録を拒否されるので、ステップＳ５の判定結果はＮＯとなる。このように、位置登録に成功しなかったとき（Ｓ５がＮＯ）には、圏外である旨を表示して（Ｓ１１）、処理を終了する。すなわち、この場合には、ユーザーは、第１のＳＩＭカードを用いた通信を行うことはできない。ただし、携帯電話端末１０が有する上述のその他の機能は実行させることができる。
なお、携帯電話端末１０が第１のＳＩＭカードに対応する通信事業者のサービスエリアの外にあり、前記ステップＳ５の結果がＮＯとなった場合には、その後、携帯電話端末１０が前記通信事業者のサービスエリア内に移動したときに位置登録が行われ、第１のＳＩＭカードによる通信が可能となる。
【００１６】
一方、第１のＳＩＭカードを用いた位置登録に成功したとき（Ｓ５がＹＥＳ）は、主基本部１２を使用可能状態に設定する（Ｓ６）。これにより、ユーザーは、第１のＳＩＭカード及び主基本部１２を用いて、当該通信事業者の基地局と送受信を行うことが可能となる。
【００１７】
つぎに、前記制御部１１は、前記第２のＳＩＭカードスロット１５にＳＩＭカードが装着されているか否かを判定する（Ｓ７）。第２のＳＩＭカードスロット１５にＳＩＭカードが装着されていないとき（Ｓ７がＮＯ）は、そのまま処理を終了する。すなわち、前記副基本部１４は使用可能とされず、第１のＳＩＭカードを使用する主基本部１２のみが使用可能状態とされる。
【００１８】
また、第２のＳＩＭカードスロット１５にＳＩＭカード（「第２のＳＩＭカード」と呼ぶ。）が装着されているとき（Ｓ７がＹＥＳ）は、該第２のＳＩＭカード及び副基本部１４を用いて、そのＳＩＭカードで契約している通信事業者の移動体通信網に位置登録要求を送信し、位置登録が成功したか否かを判定する（Ｓ８）。
このように、本発明の携帯電話端末１０は、第２のＳＩＭカードスロット１５に装着されるＳＩＭカードについては、いわゆるＳＩＭロックを行っていない。すなわち、第２のＳＩＭカードスロット１５に装着されるＳＩＭカードについては、特定の通信事業者のＳＩＭカードであるか否かのチェックを行っていない。したがって、例えば、第１のＳＩＭカードの契約通信事業者とは異なる通信事業者と契約したＳＩＭカードであっても、第２のＳＩＭカードスロット１５に装着して使用することができる。
【００１９】
前記ステップＳ８の結果、第２のＳＩＭカードを用いた位置登録に成功しなかったとき（Ｓ８がＮＯ）は、圏外である旨を表示し（Ｓ１２）、この処理を終了する。すなわち、前記ステップＳ５の場合と同様の理由により位置登録に成功しなかったときは、前記副基本部１４は使用可能とされず、第１のＳＩＭカードを使用する主基本部１２のみが使用可能状態とされる。なお、携帯電話端末１０が第２のＳＩＭカードに対応する通信事業者のサービスエリアの外にあり、前記ステップＳ８の結果がＮＯとなった場合には、その後、携帯電話端末１０がその通信事業者のサービスエリア内に移動したときに位置登録が行われ、第２のＳＩＭカードによる通信が可能となる。
一方、前記第２のＳＩＭカードを用いた位置登録が成功したとき（Ｓ８がＹＥＳ）は、該副基本部１４を使用可能状態とし（Ｓ９）、この処理を終了する。すなわち、この場合には、主基本部１２と副基本部１４がともに使用可能状態とされ、前記第１のＳＩＭカード及び第２のＳＩＭカードの両方を用いた通信を行うことが可能となる。
【００２０】
上述のように、本発明においては、前記第１のＳＩＭカードと前記第２のＳＩＭカードは、それぞれ異なる通信事業者と契約したものであってもよい。
図３は、通信事業者Ａと契約した第１のＳＩＭカードを第１のＳＩＭカードスロット１３に装着し、通信事業者Ｂと契約した第２のＳＩＭカードを第２のＳＩＭカードスロット１５に装着した場合について説明する図である。
図３において、３１は通信事業者Ａのサービスのみを受けられるエリア、３２は通信事業者Ａと通信事業者Ｂの両者のサービスを受けられるエリア、３３は通信事業者Ｂのサービスのみを受けられるエリアである。
ここで、第１のＳＩＭカードは通信事業者Ａと契約したＳＩＭカードであるため、通信事業者Ａのサービスが行われている３１及び３２のエリア内で前記携帯電話端末１０の電源をオンにしない限り、副基本部１４は使用可能とならない。すなわち、図中３１及び３２で示すエリア内で電源をオンにした場合、主基本部１２及び副基本部１４はともに使用可能となる。ただし、３１で示すエリア内では、副基本部１４は圏外表示となる。ユーザーが図中３３で示すエリア内に移動したときは、主基本部１２は圏外表示となるが副基本部は使用可能状態のままである。また、図中３３で示すエリアなどの通信事業者Ａのサービスエリア外で、携帯電話端末１０の電源をオンにした場合には、主基本部１２は使用可能（ただし圏外表示）となるが、副基本部１４は使用不可となる。
【００２１】
図４は、前記携帯電話端末１０の電源をオフとしたときの動作を示すフローチャートである。
携帯電話端末１０の電源がオンとなっているときに、前記入力部１６の電源ボタンが押下されたときは、前記制御部１１は、まず、前記副基本部１４が使用可能状態とされているか否かを判定し（Ｓ２１）、使用可能状態とされていない場合はそのままステップＳ２３に進み、使用可能状態であれば、前記第２のＳＩＭカードスロット１５に装着されている第２のＳＩＭカードの契約通信事業者の移動体通信網に対して、位置登録開放要求を送信して（Ｓ２２）、ステップＳ２３に進む。
ステップＳ２３では、前記主基本部１２が使用可能状態とされているか否かを判定し、使用可能状態とされていなければそのままステップＳ２５に進み、使用可能状態とされていれば、前記第１のＳＩＭカードスロット１３に装着されている第１のＳＩＭカードの契約通信事業者の移動体通信網に対して位置登録開放要求を送信して（Ｓ２４）、ステップＳ２５に進む。
ステップＳ２５では、携帯電話端末１０の電源をオフにし、この処理を終了する。
【００２２】
図５は、副基本部１４が使用可能状態にある場合に、携帯電話端末１０が待ち受け状態にあるときに、前記入力部１６に設けられている切替ボタンを操作したときの動作を説明するためのフローチャートである。本発明においては、前記入力部１６に、主基本部１２を使用するか副基本部１３を使用するかを切り返す切替ボタンが設けられている。
図５では、前記切替ボタンが操作されたときの処理を示すフローチャートである。
切替ボタンが押下されると、前記制御部１１は、前記入力部１６、表示部１７、マイクロフォン１８、スピーカー１９、外部メモリ２０が前記主基本部１２に接続されており、また、前記表示部１７に前記主基本部１２の出力画面が表示されているか否かを判定する（Ｓ３１）。その結果、前記各構成要素が主基本部に接続され、表示部に主基本部１２の画面が表示されているとき（Ｓ３１の結果がＹＥＳ）は、前記入力部１６、表示部１７、マイクロフォン１８、スピーカー１９及び外部メモリ２０を前記副基本部１４に接続し、副基本部１４の画面が表示部１７に表示されるように切り換える（Ｓ３２）。一方、前記各構成要素が副基本部１４に接続されており、ステップＳ３１の結果がＮＯであるときは、前記入力部１６、表示部１７、マイクロフォン１８、スピーカー１９及び外部メモリ２０を前記主基本部１２に接続し、主基本部１２の画面が表示部１７に表示されるように切り換える。これにより、ユーザーは、切替スイッチを操作することにより、表示部に画面を表示している基本部を切り換え、所望の基本部を使用して電話番号の入力やメールの入力などの処理を行うことができる（Ｓ３３）。
このように、ユーザーは、切替ボタンを操作することにより、所望の基本部１２又は１４を選択して使用することができる。なお、副基本部１４が使用不可状態にある場合においては、切替ボタンは作用しない。
【００２３】
図６は、待受け中に副基本部１４で音声着信又はメール受信した場合の画面切り換えの処理を説明するためのフローチャートである。
主基本部１２及び副基本部１４がともに待受け状態にある場合に、副基本部１４で音声着信又はメール着信があったとき（Ｓ４１）は、前記制御部１１は、前記表示部１７に前記主基本部１２の画面が表示されているか否かを判定し（Ｓ４２）、主基本部１２の画面が表示されているときは、副基本部１４の画面が表示部１７に表示されるように切り換える（Ｓ４３）。これにより、ユーザーは、副基本部１４へ着信した電話番号やメールの着信を認識することができ、音声着信やメール受信に対応することが可能となる。
また、同様に、主基本部１２で音声着信やメール着信があったときには、前記表示部１７に主基本部１２の画面が表示されるように制御する。
このように、待受け時に音声着信やメール着信があったときには、該着信があった基本部の画面が表示部１７に表示されることとなる。
【００２４】
次に、一方の基本部で通話中に他方の基本部に着信があったときの動作について説明する。
図７は、主基本部１２で通話中に、副基本部１４が着信したときの動作を示すフローチャートである。
主基本部１２で通話中に副基本部１４に着信があったとき（Ｓ５１）、前記制御部１１は、副基本部１４におけるキャッチホン機能がオンに設定されているか否かを判定する（Ｓ５２）。
そして、副基本部１４にキャッチホンが設定されている場合には、通話中である主基本部１２の音声中に、「プップ・・・プップ・・・」などの電子音を流し、副基本部１４に着信があったことをユーザーに報知する（Ｓ５３）。次に、主基本部１２の画面が表示されている前記表示部１７に「[副]で着信しています。」などのメッセージを表示し、ユーザーに副基本部１４に着信があったことを報知する（Ｓ５４）。
前記ステップＳ５３又は前記ステップＳ５４の報知に応じて、ユーザーが副基本部１４を選択する処理を行うと、前記制御部１１は前記マイクロフォン１８とスピーカー１９を副基本部１４に接続し、ユーザーは、副基本部１４を用いて着信に対応することができる。
【００２５】
前記副基本部１４にキャッチホンが設定されていないとき（Ｓ５２がＮＯ）、又は、前記ステップＳ５４の後、ステップＳ５５に進み、副基本部１４における簡易留守録機能がオンに設定されているか否かを判定する。
前記副基本部１４に簡易留守録が設定されていないときは、主基本部１２の画面が表示されている表示部１７に副基本部１２に着信があった旨のメッセージ、例えば、「[副]に着信あり：１件」というメッセージを表示して（Ｓ５７）、処理を終了する。
一方、副基本部１４に簡易留守録機能が設定されているときは、前記制御部１１は、前記副基本部１４にその着信の留守録を開始させるとともに、前記主基本部１２の画面が表示されている表示部１７にその旨のメッセージを表示する（Ｓ５６）。例えば、留守録の開始時に「[副]で留守録実行中です。」というメッセージを表示し、留守録が終了した後は、「[副]に録音あり：１件」などのメッセージを表示して、処理を終了する。
なお、図７では、主基本部１２で通話中に副基本部１４に着信があったときについて説明したが、副基本部１４で通話中に主基本部１２に着信があったときは、図７における主基本部と副基本部を逆にして、同様の処理が行われる。
【００２６】
次に、主基本部１２又は副基本部１４で通話を開始したときの動作について説明する。
図８は、副基本部１４で通話を開始したときの動作を示すフローチャートである。
前述のように、ユーザーが切替ボタンを操作して副基本部１４を選択すると、それに応じて、前記制御部１１が前記マイクロフォン１８及びスピーカー１９を前記副基本部１４に接続する。また、前述のように、表示部１７に副基本部１４の画面を表示する。これにより、ユーザーは、前記第２のＳＩＭカード及び前記副基本部１４を用いて通話を行うことができる。
ユーザーが副基本部１４を用いて通話を開始すると、ステップＳ６１で、主基本部１２が保留中とされているか否かが判定される。主基本部１２が保留中でないときは、そのまま、この処理を終了する。
【００２７】
主基本部１２が保留中であるときは、通話中である副基本部の音声中に、例えば、「ピ・・・、ピ・・・」といった電子音を流し、主基本部１２が保留中であることをユーザーに報知する（Ｓ６２）。そして、前記表示部１７に表示されている副基本部１４の画面中に、例えば、「[主]で通話保留中です。」といったメッセージを表示して、ユーザーに主基本部１２が保留中であることを報知する。
また、図８には、副基本部１４で通話を開始したときの動作について示したが、主基本部１２で動作を開始した場合についても、同様に、副基本部１４が保留中であるときは、その旨をユーザーに報知する。
【００２８】
なお、上述した実施の形態においては、第１のＳＩＭカードスロット１３を有する第１の基本部１２と第２のＳＩＭカードスロット１５を有する第２の基本部１４を有し、２枚のＳＩＭカードを装着することができる携帯電話端末について説明したが、３個以上のＳＩＭカードスロット及び基本部を設け、３枚以上のＳＩＭカードを同時に装着して使用することができるようにしてもよい。
また、上記においては、切替ボタンを操作することにより、主基本部と副基本部を切り換えるようにしていたが、各基本部対応に、その基本部を選択するボタンを設けるようにしてもよい。
【図面の簡単な説明】
【００２９】
【図１】本発明の携帯電話端末の一実施の形態の構成を示すブロック図である。
【図２】本発明の携帯電話端末において電源が投入されたときの動作を示すフローチャートである。
【図３】異なる通信事業者と契約した第１のＳＩＭカードと第２のＳＩＭカードを装着した場合について説明する図である。
【図４】本発明の携帯電話端末において電源をオフとしたときの動作を示すフローチャートである。
【図５】本発明の携帯電話端末が待ち受け状態にあるときに切替ボタンが操作されたときの動作を示すフローチャートである。
【図６】待受け中に副基本部で音声着信又はメール受信した場合の画面切り換えの処理を説明するためのフローチャートである。
【図７】主基本部で通話中に、副基本部が着信したときの動作を示すフローチャートである。
【図８】副基本部で通話を開始したときの動作を示すフローチャートである。
【図９】従来の携帯電話の構成を示すブロック図である。
【符号の説明】
【００３０】
１０：携帯電話端末、１１：制御部、１２：第１の基本部（主基本部）、１３：第１のＳＩＭカードスロット、１４：第２の基本部（副基本部）、１５：第２のＳＩＭカードスロット、１６：入力部、１７：表示部、１８：マイクロフォン、１９：スピーカー、２０：外部メモリ、２１：電源部
【図１】
0005117225.tif 000002
【図２】
0005117225.tif 000003
【図３】
0005117225.tif 000004
【図４】
0005117225.tif 000005
【図５】
0005117225.tif 000006
【図６】
0005117225.tif 000007
【図７】
0005117225.tif 000008
【図８】
0005117225.tif 000009
【図９】
0005117225.tif 000010